(57)【要約】  本発明は、切削および曲げ技術を使用して製造され、多数の異なる症状に提案される特に簡単な歯列矯正ブラケット（１０）に関する。歯列矯正ブラケット（１０）は、接着面（３）と視認面（２）とを有するベースプレート（１）と、治療アーチワイヤ（１１）の案内保持のための手段と、を備える。ブラケット（１０）は、一部品に作製されており、ガイド手段として、近心‐遠心に延び、ベースプレート（１）の平面から形作られた長手方向のガイド隆起部（６）を備える。治療アーチワイヤ（１１）は、前記ガイド隆起部（６）の下を通って案内されることができ、ベースプレートに置かれる。
2019506975.tif 000002
【特許請求の範囲】
【請求項１】
打ち抜きおよび曲げ技術によってシートメタルで作製された歯列矯正ブラケット（１０）であって、接着面（３）と視認面（２）とを有するベースプレート（１）と、治療アーチ（１１）の案内保持のため手段と、を備え、
前記ブラケット（１０）は、一部品に設計されており、近心遠心方向に延びる少なくとも１つの細長いガイドアーチ（６）であって、ベースプレート（１）の平面から形作られ、その下に治療アーチ（１１）がベースプレート（１）に載置するように案内され得るガイド手段としての、ガイドアーチ（６）を有する、ことを特徴とする歯列矯正ブラケット。
【請求項２】
前記ベースプレート（１）は、側部で近心から遠心の方向に延びる打ち抜き領域（５）と、原因部から歯肉の方向に延びる２つの平行なスロット形状打ち抜き領域（４）と、を有し、それらの間に前記ガイドアーチ（６）が、前記近心から前記遠心の方向に延び、このガイドアーチ（６）は、前記視認面（２）で前記歯から背を向けたアーチである、ことを特徴とする請求項１に記載のブラケット。
【請求項３】
前記ベースプレート（１）は、２つの窓形状打ち抜き領域（１３）を有し、前記ベースプレート（１）は、前記打ち抜き領域から前記側方、近心および／または遠心縁部（１５）まで前記側方ガイドチャネル（１４）へ前記接着面に向かって下向きに形作られ、一方、前記視認面（２）への前記窓形状打ち抜き領域（１３）間の領域は、前記ガイドアーチ（６）に向かって形作られている、ことを特徴とする請求項１に記載のブラケット。
【請求項４】
通路（７）が前記少なくとも１つのガイドアーチ（６）の領域の外側の前記ベースプレート（１）に形作られている、ことを特徴とする請求項１に記載のブラケット。
【請求項５】
ＣｏＣｒＺＯＮｉ−１−６Ｍｏ７合金から製造されている、ことを特徴とする請求項１に記載のブラケット。
【請求項６】
前記ガイドアーチ（６）は、圧力により形作られることができ、その内側クリアランス（ＬＷ）は、治療アーチの直径に適合する、ことを特徴とする請求項１から５の少なくとも１つに記載の歯列矯正ブラケットの使用。
【請求項７】
前記歯列矯正ブラケット（１０）は、円形、長方形または楕円形の断面を有する治療アーチ（１１）と共に使用される、ことを特徴とする請求項１から５のいずれか１つに記載の歯列矯正ブラケットの使用。
【請求項８】
歯列矯正ブラケットを位置決めするための手段であって、前記位置決めの前に、プロテクタ（２０）は、前記ガイドアーチ（６）の前記内側クリアランス（ＬＷ）に適合し、前記ガイドアーチ（６）を通って挿入されることができる、保持ロッド（２１）を備える、ことを特徴とする請求項１から５のいずれか１つに記載の手段。
【請求項９】
前記保持ロッドは、ハンドル（２２）に一部品に接続され、クランプスロットが、前記ハンドル（２２）と前記保持ロッド（２１）との間に形作られ、前記ガイドアーチ（６）は、力ロックおよび形態嵌合の態様で前記側方縁に収容される、ことを特徴とする請求項８に記載の手段。
【請求項１０】
前記プロテクタ（２０）は、２つの部分に分かれ、一方の部分には保持ロッド部分（２５）が設けられ、各々が成形部品（２４）で成形され、２つの部分のプロテクタ（２０）のうち一方の部分は、その保持ロッド部分（２５）と共に一側から前記歯列矯正ブラケット（１０）の前記ガイドアーチ（６）内に挿入されることができ、完全に挿入されたとき、２つの成形部品は、ガイドアーチ（６）と側方接触し、２つの部分をクランプするプライヤ型把持部（３０）によって把持されることができる、ことを特徴とする請求項８に記載の手段。
【請求項１１】
前記把持部（３０）に、端部に保持プレート（３４）が一体的に成形されたポインタロッド（３３）が設けられている、ことを特徴とする請求項１０に記載の手段。
【請求項１２】
前記ポインタロッドと直角に交差する少なくとも１つの方向ポインタ（３５）が、前記ポインタロッド（３３）に一体的に成形されている、ことを特徴とする請求項１１に記載の手段。
【請求項１３】
プラスチックで作製されている、ことを特徴とする請求項８から１２に記載の手段。
【発明の詳細な説明】
【技術分野】
【０００１】
本発明は、切削および曲げ技術を使用して製造されるシートメタルで作製された歯列矯正ブラケットであって、接着面と視認面とを有するベースプレートと、治療アーチワイヤの案内保持のための手段と、を備えた歯列矯正ブラケットに関する。
【０００２】
加えて、本発明は、そのようなブラケットの使用、並びに、ブラケットを設置するために必要とされる手段に関する。
【背景技術】
【０００３】
歯列矯正技術の初期には、多くの歯列矯正装置は、切削および打ち抜き技術によるシートメタルで作製されており、歯の周りに固定されたバンドに取り付けられていた。そのようなアプローチは、例えば、１９１５年にＥ．Ｈ．アングル氏によって出願された、米国特許第１，１４２，７９０号に開示されている。アングル氏は、歯列矯正技術の実際の創設者の１人であった。切削および曲げ技術によって製造されるそのようなブラケットの追加の例は、例えば、米国特許第２，６８６，３６５号、米国特許第２，２５７，０６９号、米国特許第３，０７６，２６５号、並びに、米国特許第３，２１８，７１３号から公知の自己合金ブラケットから公知である。そのようなブラケットの最も単純で最も論理的なバージョンの１つが、米国特許第２，２６５，４２０号に開示されている。ここで示される切削および曲げ技術によって製造されるブラケットは、一部品であり、接着面と視認面とを有しており、治療アーチワイヤの案内保持のための手段が備え付けられている。このブラケットも、当然にバンドに直接半田付けされており、接着剤によって歯に直接取り付けられていない。ここで示されるアプローチは、２つの側方固定ストラップを有しており、これによってブラケットがバンドに半田付けされ、その後、溝の底部によって互いに接続された２つのヘアピン形状フランジが、溝の底部を介して互いに接続される。それによって、ほぼＵ字形状のチャネルが、開口側に向かうテーパを形成し、治療アーチワイヤが、挿入され、２つの側方フランジの間でクランプされることができる。得られるチャネルは、ほぼＵ字形状で、開口側に向かってテーパ付けられており、治療アーチワイヤが、挿入され、２つの側方フランジの間でクランプされることができる。治療アーチワイヤは、実際は、このＵ字形状チャネルに固定することができず、治療アーチワイヤは、食物残留物によってＵ字形状チャネルから押し出され得る。このブラケットを結紮によって固定することは不可能であった。
【０００４】
小型化および新しい製造技術の進歩、並びに、ブラケットを直接歯に接着するというまた新しい可能性のため、切削および曲げ技術によって製造されたブラケットからの漸進的な向上があり、次にブラケットは、最初は切削方法によって、後にいわゆるＭＩＭ技術における粉末射出成形によって、金属から製造された。ここで、ＭＩＭは、金属射出成形（ｍｅｔａｌ  ｉｎｊｅｃｔｉｏｎ  ｍｏｌｄｉｎｇ）を表す。そのようなブラケットの一例は、既に固体金属から一部が製造され、ブラケットに接続されたカバーのみを示し、ヒンジの可動性を有しており、例えば、米国特許第３，０９１，８５７号に開示されている。米国特許第３，５４３，４０４号は、１９６９年に出願され、ブラケットは、打ち抜きおよび曲げ技術によって製造され、結紮ストラップに解放可能に取り付けるのに役立つループを有するベースプレートから実質的に構成される。ワイヤで作製された結紮ストラップは、治療アーチワイヤをベースプレートの視認面に押圧する。
【０００５】
切削および曲げ技術は、この５０年で更にかなりの程度まで発展し、更なる小型化がより複雑な形状で可能になっている。本出願人は、再度この技術を採用した。切削および曲げ技術によって製造された旋回可能なプレートを有する自己合金ブラケットが、国際公開第２０１５／１４００２６号パンフレットに開示されており、歯列矯正ブラケットの両方の部分、すなわちプレートおよびベースプレートは、互いに向かって旋回させることによって互いに接続することができる。この自己合金ブラケットで達成できる小型化によれば、歯に関連して起こるほとんどの変形および欠陥を治療するために、舌側および頬側の両方に使用することができる。
【発明の概要】
【発明が解決しようとする課題】
【０００６】
しかしながら、限られた症状のために使用できるが、また特に使用もし易い、特に単純で小さな歯列矯正ブラケットが必要である。導入部分で定義されたタイプのそのような非常に単純化された歯列矯正ブラケットは、特に次の症状に適しているはずである。
【０００７】
− 基本的に単純な位置ずれの最大８つの歯の歯科アーチセグメントの使用のため、
− そうでなければ多かれ少なかれ調和した歯科アーチの個々の歯の非常に顕著な位置ずれのため；
− （ＩＮＶＩＳＡＬＩＮＥ（登録商標）（Ａｌｉｇｎ  Ｔｅｃｈｎｏｌｏｇｙ  Ｉｎｃ．社の登録商標）のような）レールでの治療のサポートおよび単純化のため；
− 軽度な前歯の矯正の舌治療のためであって、矯正に必要とされる最後のワイヤも長期間の保持のために残すことができる；
− 単純なものから重度のジストロフィーの歯の矯正のための単一の要素として。
【０００８】
その結果として、本発明の目的は、切削および曲げ技術によって歯列矯正ブラケットを製造する特に単純な方法を利用可能とすることであり、前記ブラケットは、前述した症状に適している。
【課題を解決するための手段】
【０００９】
本目的は、導入部分で定義されたタイプの歯列矯正ブラケットによって達成され、ブラケットは、一部品に製造され、ベースプレートの平面から形作られた少なくとも１つの細長いガイドアーチを有し、治療アーチは、前記ガイドアーチの下でベースプレート上に載置するように案内される。
【００１０】
本発明による思想の追加の形態は、従属請求項２から５より導かれ、添付図面を参照した次の記述を基に説明される。
【００１１】
本発明は、また、本発明による歯列矯正ブラケットの使用に関し、また、請求項に記載の歯列矯正ブラケットを備え付けるための本発明による手段を開示している。本発明による歯列矯正ブラケットおよびこれらのブラケットを備え付けるための請求項に記載の手段に関する本発明のユニットは、ロックアンドキー原理による互いに対する手段の必須の形状調整より導かれる。これらの手段は、他の歯列矯正ブラケットに使用することはできない。
【００１２】
図面は、本発明の主題の様々な実施形態を図示し、以下に詳細に記述される。
【図面の簡単な説明】
【００１３】
【図１】図１は、視認面視の歯列矯正ブラケットの斜視図を示す。
【図２】図２は、接着面の同様の図を示す。
【図３】図３は、水平断面における同じブラケットを示す。
【図４】図４は、側部断面を示す。
【図５】図５は、視認面視の斜視図形において一列に配置された２つのガイドアーチを有する、図１から図４によるブラケットの変形例を示す。
【図６】図６は、接着面視の同様の図を示す。
【図７】図７は、視認面視の斜視における本発明による歯列矯正ブラケットの第３の変形例を示す。
【図８】図８は、上方視における同じブラケットを示す。
【図９】図９は、側面視における同様の図を示す。
【図１０】図１０は、長手方向側視の側面視における本ブラケットを示す。
【図１１】図１１は、再度、斜視図における、本発明によるブラケットの第４の実施形態を示す。
【図１２】図１２は、上方視における同じブラケットを示す。
【図１３】図１３は、側面視におけるそれを示す。
【図１４】図１４は、斜視図における保持ロッドおよびハンドルを有するプロテクタを示す。
【図１５】図１５は、斜視図における保持ロッドおよびハンドルを有するプロテクタを示す。
【図１６】図１６は、図９による取り付けられた歯列矯正ブラケットを有する保持ロッドの正面視の本プロテクタを示す。
【図１７】図１７は、ブラケットが取り付けられている間の２つの部分のプロテクタ、並びに、取り付けられたブラケットで２つのプロテクタの半分をグリップ可能なプライヤまたはプライヤ型把持部を示す。
【図１８】図１８は、ブラケットが取り付けられている間の２つの部分のプロテクタ、並びに、取り付けられたブラケットで２つのプロテクタの半分をグリップ可能なプライヤまたはプライヤ型把持部を示す。
【発明を実施するための形態】
【００１４】
次の記述では、方向情報は、それぞれの歯に取り付けられる歯列矯正ブラケットに適用可能な、歯列矯正の専門用語に従って与えられる。図１から図４は、本発明による歯列矯正ブラケットの第１の実施形態を示す。歯列矯正ブラケットは、実質的に平坦なベースプレート１から構成される。ベースプレートは、視認面２および接着面３を有する。視認面は、歯の反対側を向いた側であり、一方、接着面は、歯を向いた側である。この歯列矯正ブラケットは、舌側と頬側の両方の位置で使用することができるため、舌側と頬側の用語は、２つの側を識別するために使用されない。頬側の適用では、視認面は頬側にあり、一方、接着面または接着表面は舌側にあるのに対して、これらの用語は、舌側に対しては全くの逆である。ここで、ベースプレート１は、実質的に楕円形状である。ここに示される長手方向軸ｄlは、原因部‐歯肉方向に延びている。しかしながら、短軸ｄｋは、近心‐遠心方向に延びている。２つのスロット形状打ち抜き領域４は、長手方向軸ｄlに平行に、かつ互いに平行に延びている。
【００１５】
一方の打ち抜き領域は、短軸ｄｋの各側縁からスロット形状打ち抜き領域4まで、スロット形状打ち抜き領域４に対して中心にかつ垂直に近心‐遠心方向に延びている。これらの短い打ち抜き領域は、５で表示付けられている。細長いガイドアーチ６は、原因部‐歯肉方向に延びる２つのスロット形状打ち抜き領域４の間に存在している。このガイドアーチは、近心‐遠心方向にも延びている。ガイドアーチ６は、その中にガイドレセプタクルを治療アーチ１１が見つけ、ベースプレート１のプレート８上のガイドアーチ６に側方に載置するような幅と高さの寸法である。
【００１６】
歯列矯正ブラケット１０の製造において、図１−図４に図示されるように、ベースプレート１は、完全に平坦なまま打ち抜かれ、短い打ち抜き領域５は、完成状態よりも著しく広い。ガイドアーチ６が形成される曲げ作業は、この打ち抜きの後にのみ行われ、同時にベースプレートは、短い打ち抜き領域５が小さな隙間を除いて共に押し込まれるまで、長手方向軸の方向に共に押し込まれる。ここでガイドアーチ６は、４つのプレート８がガイドアーチ６の側部で打ち抜き領域４および５によって形成されるように、形作られている。
【００１７】
打ち抜きにおいて、グリッド形状構造が接着面３に形成され得るが、これは、論理的には使用中に歯に直接載っている領域に限られる。この領域は、図３の点線の構造化領域９として特徴付けられる。領域９の構造化は、歯列矯正ブラケット１の接着剤の接着性を増加させるのに役立つ。追加の孔７が、構造化接着領域９に任意に形付けられてもよい。一方、これらの孔７は、ブラケットの半分が長手方向軸の移動の方向に共に押し込まれることを容易にするのに役立ち、重合ランプの光が接着剤を硬化させるためにより良好に供給され得るという追加の利点を有する。
【００１８】
図４は、治療アーチ１１を図示し、治療アーチ１１は、ガイドアーチ６の下のベースプレート１の側方プレート８に載置して保持されている。ここで図示される例では、治療アーチ１１は、正方形の断面で図示されている。しかしながら、円形、多角形または楕円形の断面を有する治療アーチも、このガイドアーチ６を介して導入され得る。
【００１９】
歯列矯正ブラケット１０の一変形例が図５および図６に図示され、２つのガイドアーチ６が互いに平行に設けられており、ブラケットに治療アーチ１１のためのより長いガイドを形成している。すなわち、ここに４つの平行なスロット形状打ち抜き領域が存在し、ここで側方プレート８に加えて２つの中央プレート１２も、２つの近傍のガイドアーチ６の間に残っている。２つのガイドアーチ６は整列しており、それらは正確に互いに同一平面上にあり、また近心‐遠心方向に延びている。それゆえ、歯列矯正ブラケット１０はやや大きく、それに応じて大臼歯または上部前歯に適用されるのに適している。しかしながら、これらのブラケットは、患者の状況次第で、他の歯にも容易に適用され得る。
【００２０】
歯列矯正ブラケットの他の形態が、図７から図１０に示される。本実施形態では、ベースプレート１は、丸い角を有する実質的に長方形の断面を有している。実質的に三角形の窓形状打ち抜き領域１３が、ベースプレート１に形成されている。三角形の窓形状打ち抜き領域１３は、対応するノッチ効果を防止するために丸い角を有している。次に、視認面２に向かって上方に湾曲するガイドアーチ６が、２つの窓形状打ち抜き領域１３の間に形成されている。ここでまた、ガイドアーチ６は、当然に近心‐遠心方向に延びている。より短い近心および／または遠心側縁のみが、窓形状打ち抜き領域１３から、接着面に向かって下方に湾曲したガイドチャネル１４に向かって延びている。ガイドチャネルの側部では、またベースプレートが接着面に向かってわずかに増加して延びている。それゆえ、接着剤を受けるための受容スペース１６が、接着面２の歯列矯正ブラケットの下に形成されている。本実施形態では、窓形状打ち抜き領域１３が接着面へ光を供給するための十分な開口を形成しているため、孔７は必要ない。また光は、ガイドチャネル１４の側に形成され、接着剤を受けるための上述したスペース１６を作り出す、隆起を介して供給される。歯列矯正ブラケット１０の本実施形態では、ガイドアーチの長さは、三角形の窓形状打ち抜き領域１３によって短縮化されるが、治療アーチは、ガイドアーチ６の領域だけでなく、側部に続くガイドチャネル１４のためにガイドチャネル１４の領域にも案内される。
【００２１】
より良い理解のためにのみ、長手方向縁１７に見られる中央くびれ部が、曲げ技術によって作り出されたガイドアーチ６でのみ形成されていることが指摘されるべきである。このくびれ部は、歯肉‐原因部方向にのみ延びており、通常はこの方向にスペースの問題はないため、そのようなくびれ部は、スペースの理由のためには必要ではない。
【００２２】
最後に、図１１−図１３は、本発明による歯列矯正ブラケットの第４の実施形態を示す。ベースプレート１は、概略的におよそボート形状をしており、窓形状打ち抜き領域１３の代わりに、２つの平行な打ち抜き領域１８が存在し、それらはボタンホールの形状をし、ここでは互いに比較的大きな距離離れて形作られている。これらの打ち抜き領域１８は、原因部‐歯肉方向に延びている。図１３による側方概略図では、また側方ガイドチャネル１４並びに接着剤スペース１６を見ることができる。本実施形態の変形例は、歯列矯正の意味においては非常に論理的ではあるが、窓形状打ち抜き領域１３でのバージョンと比較して、本変形例において治療アーチをガイドアーチ６の下に挿入することがより困難であるため、本変形例はより好ましくはない。三角形の窓形状打ち抜き領域１３は、治療アーチの挿入中に装置を中心に配置させるのに対して、図１１−図１３による本実施形態におけるガイドアーチ６の端面は、この中心配置を作り出さず、それゆえ、治療アーチの非常に正確な位置合わせを必要とし、治療アーチが端部でアーチ６の側部に対して当接しないようにしている。
【００２３】
歯列矯正ブラケットは、通常、治療アーチの寸法および形状に正確に適合される。これは、使用される治療アーチの断面形状および直径に応じた、比較的多数の異なるブラケットを必要とする。本発明による歯列矯正ブラケットは、そのような歯列矯正ブラケットおよび治療アーチの正確な対応は必要としない。切削または中心配置によって金属で作製され、変更できない対応するスロットを有するブラケットとは対照的に、本発明による歯列矯正ブラケットの場合、ガイドアーチはプライヤによってわずかに変形され、これによってここで通過開口を減少させる、または治療アーチにわずかに増加した圧力も与える。本発明によるこの使用は、フラップまたは結紮を必要とせずに市場で入手可能なブラケットでは今日達成することはできない。この技術またはこの使用は、実用的なあらゆる断面形状の治療アーチを使用することも可能にする。ガイドアーチ６の下の通過部の内側クリアランスが治療アーチの断面よりも大きい場合、ノッチをガイドアーチ６に押し込むこともでき、それによってガイドアーチの下の内側クリアランスは減少する。
【００２４】
今日知られているブラケットでは、適用される接着剤がスロットの領域に浸透することを可能にする通路がベースプレートに存在しない。この危険性は、本発明によるブラケットにも存在する。すなわち、接着剤が治療アーチのためのガイド領域に浸透することを防止するために、特別なプロテクタがこれらのブラケットに提供されなければならない。図１４から図１６は、プロテクタの形態における特に単純なデザインを有する１つのそのような手段を図示している。このプロテクタ２０は、実質的に保持ロッド２１からなり、断面において少なくともほぼ歯列矯正ブラケット１０の内側クリアランスＬＷに対応している。内側クリアランスは、治療アーチが接触し、またはそれらが載置する、ブラケットの部品によって形成されている。図１から図６による実施形態では、一方に、側方プレート８と任意で中央プレート１２が、他方に、ガイドアーチ６または複数のガイドアーチ６が存在している。原理上は、プロテクタ２０が１つの保持ロッド２１のみで構成されていれば十分である。しかしながら、取り扱いの改善のため、保持ロッド２１に一方にハンドル２２を提供することが非常に適切である。ハンドル２２は、保持ロッド２１に広がり、クランプスロット２３を解放したままにする。このようにして、ガイドアーチ６がクランプおよび形態嵌合動作で保持ロッド２１とハンドル２２との間でクランプスロット２３内に保持されるまで、歯列矯正ブラケット１０は保持ロッド２１に押し込まれる。このようにして、歯列矯正ブラケットは固定されて抜け落ちることを防止するだけでなく、ある位置に保持される。
【００２５】
図１７および図１８は、代替のプロテクタを示す。このプロテクタ２０は、２つの部分に設計され、各々に一体的に成形された保持ロッド部分２５を有する２つの成形部分２４から構成されている。クランプスロット２３は、各成形部品２４に形付けられており、それぞれの成形部品２４にとても深く延び、それによって保持ロッド部分２５が形成されている。保持ロッド部分２５はとても長く、側部でガイドアーチ６の下に挿入された後に少なくともほぼ接触している。このようにして、ガイドアーチの側縁が、２つの成形部品２４の対応するクランプスロット２３において端面と接触している。同時に、２つの成形部品の平坦な端面２６は、この位置で互いにほぼ面接触している。図において、図１７は全体的な状況を表し、図１８は拡大部分視を示しているが、１つの成形部品が既に完全に歯列矯正ブラケット１に押し込まれており、一方、２つ目の成形部品は、成形部品が歯列矯正ブラケットに押し込まれる前に、ある位置において歯列矯正ブラケットと正しく位置合わせされている。各成形部品２４はシェル形状凹部２７を有しており、歯列矯正ブラケット１が形態嵌合して収容され、その視認面が形態嵌合接触して置かれている。シェル形状凹部から離れた側では、１つのクランプ顎部２８が各成形部品２４に形付けられ、クランプ溝部２９がそれぞれの端側の反対の側に形成されている。
【００２６】
プロテクタ２０は、第３の部分としてプライヤ形状把持部３０を備えている。把持部３０は、互いに向き合う２つのクランプフィンガー３１を有しており、各クランプフィンガー３１に、厚いフィンガーストリップ３２が設けられている。これらの厚いフィンガーストリップ３２は、挿入側と反対の側のクランプ顎部２８に設置されている。２つの成形部品２４を備えるプロテクタ２０は、このようにして把持部３０にしっかりと保持される。同時に、歯列矯正ブラケットも当然にしっかりと保持される。その後、接着剤が付与されることができ、接着剤が光硬化性接着剤である場合、接着剤スペース１６に横方向に照射することで重合ランプで硬化させることができる。次に、プライヤ型把持部３０を取り除くことができ、それから成形部品２４を保持ロッド部分２５で取り除くことができる。このとき対応する接着剤は、極めて軽くしか成形部品２８および／または保持ロッド部分２５に接着しないが、なぜなら、それらは接着剤がほとんど接着効果を有しない整合プラスチックで作製されているためである。
【００２７】
接着の間、成形部分および／またはブラケットは固定されるだけでなく、歯の正しい位置に持ち込まれなければならない。この点に関しては、実際のプライヤ状把持部３０にはポインタロッド３３が備え付けられている。プライヤ形状把持部３０の反対側の端部には、保持プレート３４がこのポインタロッド３３に一体的に成形されている。方向ポインタ３５が、ポインタロッド３３に直角に配置され、ポインタロッド３３を横断している。方向指示器３５は、治療歯列矯正専門医にガイドアーチおよび／または当然にまたガイドチャネルの方向を示し、そして歯列矯正医は、ブラケットを歯に位置合わせをして治療アーチをここで所望の形状にする方法を知っている。
【００２８】
本発明の歯列矯正ブラケット１を位置合わせするための本発明の手段の全ては、プラスチックで作製されている。
【００２９】
打ち抜きおよび曲げ技術によって製造される歯列矯正ブラケットは、好ましくは冷間圧延されたコバルトクロムニッケルのシートメタルで作製され、これらは、形作られた後に極めて小さな反発効果しか有しないため、特に良好に加工される。更には、ブランド名Ｐｈｙｎｏｘ（登録商標）で市販されている、ＣｏＣｒＺＯＮｉ−１−６Ｍｏ−７合金で作製されたこの好ましいシートメタル材は、適切な熱処理によって高硬度に精製することができる。
【００３０】
本発明による歯列矯正ブラケットは商業的に市販され得るが、通常の場合、以前に述べたように、歯列矯正ブラケット１とプロテクタ２０の両方と、任意で２つの成形部品とプライヤ状把持部３０で構成された２つの部分のプロテクタとを包含する、キットの中でブラケットを位置付けるための対応する手段と共にブラケットを提供することができる。
【符号の説明】
【００３１】
１    ベースプレート
２    視認面
３    接着面
４    スロット形状打ち抜き領域
５    短い打ち抜き領域
６    ガイドアーチ
７    孔
８    側方プレート
９    構造化接着領域
１０  歯列矯正ブラケット
１１  治療アーチ
１２  中央ストラップ
１３  窓形状打ち抜き領域
１４  ガイドチャネル
１５  短い腹側または背側の縁部
１６  接着剤スペース
１７  長手方向縁部
１８  ボタンホール形状打ち抜き領域
２０  プロテクタ
２１  保持ロッド
２２  ハンドル
２３  クランプスロット
２４  成形部品
２５  保持ロッド部分
２６  端面
２７  シェル形状凹部
２８  クランプ顎部
２９  クランプ溝部
３０  プライヤ形状把持部
３１  クランプフィンガー
３２  厚いフィンガーストリップ
３３  ポインタロッド
３４  保持プレート
３５  方向指示器
ＬＷ  内側クリアランス
【図１】
2019506975.tif 000003
【図２】
2019506975.tif 000004
【図３】
2019506975.tif 000005
【図４】
2019506975.tif 000006
【図５】
2019506975.tif 000007
【図６】
2019506975.tif 000008
【図７】
2019506975.tif 000009
【図８】
2019506975.tif 000010
【図９】
2019506975.tif 000011
【図１０】
2019506975.tif 000012
【図１１】
2019506975.tif 000013
【図１２】
2019506975.tif 000014
【図１３】
2019506975.tif 000015
【図１４】
2019506975.tif 000016
【図１５】
2019506975.tif 000017
【図１６】
2019506975.tif 000018
【図１７】
2019506975.tif 000019
【図１８】
2019506975.tif 000020
【国際調査報告】
2019506975.tif 000021
2019506975.tif 000022
2019506975.tif 000023
2019506975.tif 000024
2019506975.tif 000025
2019506975.tif 000026